(57)【特許請求の範囲】
【請求項１】
ケーブル連結具に取り付けられる、ねじ付きポストに係合するスタッド係
合装置にして、
頂側部と、底側部とを有する、軸穴を含むチャンバを形成するハウジングと、
該ハウジングの内壁に撓み可能に接続された複数の係止指状体とを備え、
該係止指状体の少なくとも一つが、反対方向に伸長する一対のねじ係合突出部を備え、
前記一対のねじ係合突出部の各々は、前記係止指状体からそれぞれ前記頂側部と前記底側部に延び、前記頂側部と前記底側部の内のいずれかを下向きにした状態で、前記スタッド係合装置が前記ねじ付きポストに係合したときに、前記係止指状体が撓んだ結果、横向きとなった前記一対のねじ係合突出部のいずれか一方が、前記ねじ付きポストのねじ付き溝内に嵌まり、且つ係合するような寸法とされたことを特徴とするスタッド係合装置。
【請求項２】
請求項１に記載のスタッド係合装置にして、
前記係止指状体が、前記内壁に対して略垂直に伸長することを特徴とするスタッド係合装置。
【請求項３】
請求項１に記載のスタッド係合装置にして、
前記チャンバの前記内壁が、前記ハウジングの内壁から内側に突出し、且つ前記係止指状体に隣接する位置に形成され、前記内壁により形成されるハウジングの内径が、前記ねじ付きスタッドの直径よりもわずかに大きなものとなるような形状を有する複数の導入部分を備えることを特徴とするスタッド係合装置。
【請求項４】
請求項３に記載のスタッド係合装置にして、
前記複数の導入部分が、前記スタッドのねじ外径よりも僅かに大きい内径を形成し得るような形状とされることを特徴とするスタッド係合装置。
【請求項５】
請求項１に記載のスタッド係合装置にして、
前記係止指状体が、該係止指状体が前記内壁から突出する箇所である前記係止指状体の基部に形成された、隆起部分である肩部分を備え、
前記肩部分は、前記係止指状体を強化し、且つ前記スタッド係合装置の引き抜きを防止する追加的なストッパを提供することを特徴とするスタッド係合装置。
【請求項６】
請求項１に記載のスタッド係合装置にして、
係止指状体の数が偶数であることを特徴とするスタッド係合装置。
【請求項７】
請求項１に記載のスタッド係合装置にして、
前記係止指状体が、十分な長さ及び可撓性のあるヒンジ部分により撓み可能に接続され
、前記突出部が、取り付け中、ねじ外径を経て上方に撓むことを特徴とするスタッド係合装置。
【請求項８】
請求項１に記載のスタッド係合装置にして、
前記係止指状体が、前記ハウジングの内壁の頂側部と底側部との間の中間の位置に配置されることを特徴とするスタッド係合装置。
【請求項９】
請求項１に記載のスタッド係合装置にして、
前記ねじ係合突出部が、前記係止指状体の末端に形成されることを特徴とするスタッド係合装置。
【請求項１０】
請求項１に記載のスタッド係合装置にして、
前記ハウジングが、頂部と、ストラップとを有するケーブル連結具に一体に接続されることを特徴とするスタッド係合装置。
【請求項１１】
ケーブル連結具に取り付けられる、ねじ付きポストに係合するスタッ
ド係合装置にして、
頂部と、底部とを有するハウジングであって、該ハウジングをねじ付きポストの上方に配置することを許容する十分な直径のチャンバを形成する円筒状穴を有する前記ハウジングと、
該円筒状穴内部に配置された可撓性の固着手段であって、前記ハウジングを前記ねじ付きポストに固着可能な寸法とされ、前記ハウジングの頂部及び底部の両方がそれぞれ下向きの状態になった際に前記ハウジングを前記ねじ付きポストに取り付け可能とするようにする前記可撓性の固着手段とを備え、
前記固着手段は、前記ハウジングの内壁に撓み可能に接続された複数の係止指状体を備え、該複数の係止指状体は、その末端に形成され、且つそれぞれ前記ハウジングの前記頂側部及び前記底側部に向けて方向決めされた一対のねじ係合突出部を有する少なくとも一つの係止指状体を含み、前記一対のねじ係合突出部の両方は、前記ねじ付きポストのねじ付き溝内に嵌まり、且つ係合するような寸法とされることを特徴とするスタッド係合装置。
【請求項１２】
請求項１１に記載のスタッド係合装置にして、
前記係止指状体が、前記内壁から直角に突出することを特徴とするスタッド係合装置。
【請求項１３】
請求項１１に記載のスタッド係合装置にして、
係止指状体が４つ設けられることを特徴とするスタッド係合装置。
【請求項１４】
請求項１１に記載のスタッド係合装置にして、
係止指状体が２つ設けられることを特徴とするスタッド係合装置。
【請求項１５】
請求項１１に記載のスタッド係合装置にして、
前記固着手段が、前記ハウジングの内壁から前記チャンバ内に突出し且つ前記係止指状体に隣接する位置に形成された導入部分を更に備えることを特徴とするスタッド係合装置。
【請求項１６】
請求項１５に記載のスタッド係合装置にして、
前記導入部分が、前記ねじ付きポストの外径よりも僅かに大きい内径を形成し得るような形状とされることを特徴とするスタッド係合装置。
【請求項１７】
請求項１１に記載のスタッド係合装置にして、
前記ハウジングが、頂部と、ストラップとを有するケーブル連結具に一体に接続されることを特徴とするスタッド係合装置。
【請求項１８】
請求項１７に記載のスタッド係合装置にして、
前記ハウジングが、前記ケーブル連結具の頂部に一体に接続されることを特徴とするスタッド係合装置。
【請求項１９】
請求項１７に記載のスタッド係合装置にして、
前記ハウジングが、前記ケーブル連結具の前記ストラップに一体に接続されることを特徴とするスタッド係合装置。
【請求項２０】
請求項１１に記載のスタッド係合装置にして、
前記係止指状体が、該係止指状体が前記内壁から突出する箇所である、前記係止指状体
の基部に形成された肩部分を備え、
前記肩部分は、前記係止指状体を強化し、且つ前記スタッド係合装置の引き抜きを防止する追加的なストッパを提供することを特徴とするスタッド係合装置。
【発明の詳細な説明】
【０００１】
【発明の属する技術分野】
本発明は、二方向の可逆型スタッド係合装置、特に、頂側部と底側部とを有する可逆型ねじ付きスタッド係合装置であって、頂側部又は底側部の何れか一方からねじ付きポスト又はスタッドに取り付けることができ、又、ケーブル連結具に一体に接続されたスタッド係合装置に関する。
【０００２】
【従来の技術】
ケーブル連結具は、電線及びケーブルを共に結束するため、広く採用されている。各種のより特殊なワイヤーの結束作業を行う各種の特殊なケーブル連結具が公知である。特殊な連結具の一例は、ワイヤー束をねじ付きポスト又はスタッドを有する取り付け面に締結するために使用される装置である、スタッド取り付け連結具である。スタッド取り付け連結具は、ストラップ及び係止頂部を有するケーブル連結具と一体に形成された取り付け要素を備えている。溶接スタッドのようなねじ付きポストは、取り付け面から突出し、取り付け装置がこのねじ付きポストに固着される一方、ケーブル連結具はワイヤー束を固着する。
【０００３】
【発明が解決しようとする課題】
従来技術のスタッド取り付けケーブル連結具を取り付ける間に生ずる一つの問題点は、取り付け装置の係止機構がその可撓性が制限された斜め突起の形態となることである。その結果、スタッド取り付け部分は、スタッドに対して一方向にしか取り付けることができない。このため、スタッド取り付け連結具は、スペースの制限のため取り付けることが困難又は不可能であることが多い。このため、当該技術分野で改善することが必要とされる。
【０００４】
本発明の一つの目的は、改良に係るねじ式のスタッド取り付け装置を提供することである。
【０００５】
本発明のもう一つの目的は、取り付け装置の頂部又は底部の何れか一方からねじ付きスタッドに取り付けることのできる二方向ねじ付きスタッド取り付け装置を提供することである。
【０００６】
本発明の更に別の目的は、改良に係るスタッド取り付けケーブル連結具を提供することである。
【０００７】
【課題を解決するための手段】
全体として、スタッド取り付け装置は、頂側部と底側部とを有する、軸穴を含む一つのチャンバを形成するハウジングと、該チャンバの内壁に可撓状に接続された複数の指状体とを備え、該指状体の各々が、それぞれ頂側部及び底側部に向けて方向決めされた、反対方向に伸長する一対のねじ係合突出部を備えている。
【０００８】
また、スタッド取り付け装置は、頂部及び底部を有するハウジングを備えることもでき、該ハウジングは、該ハウジングをねじ付きポスト上に配置することを許容するのに十分な直径のチャンバを形成する円筒状穴と、該円筒状穴内に配置された固着手段であって、ハウジングをねじ付きポストに固着し得る寸法とされ、ハウジングの頂部又は底部の何れか一方が下向きの状態で、ハウジングをねじ付きポストに取り付け得るようにされた固着手段とを備えている。
【０００９】
【発明の実施の形態】
本発明の思想を具体化するスタッド係合装置は、図面において、全体として、参照符号１０で示してある。かかるスタッド係合装置１０は、取り付け面６０のスタッド５０に取り付けた状態で図１に示してあり、また、可撓性部材２１によりケーブル連結具２０に取り付けられる一方、該ケーブル連結具２０は、ワイヤー束７０の周りに固着される。図２及び図３に示したスタッド係合装置１０は、頂側部１４及び底側部１６を有し、円筒状の貫通穴１８が形成されたハウジング１２を備えている。ハウジング１２の内壁２８は、内壁２８に固定状態に取り付けられ且つ内壁２８から直角に突出し、ハウジング１２の内壁２８の頂側部１４と底側部１６との中間の位置にある、４つの係止指状体３０を備えている。更に、係止指状体３０は、内壁２８の周囲に沿って９０°の間隔で配置されている。これらの係止指状体３０の末端には、方向決めした頂部及び底部突出部３２が設けられており、これらの突出部３２は、ねじ付きスタッド５０のピッチ内に嵌まり且つスタッド５０のねじ５４に係合可能な寸法とされている。
【００１０】
図４及び図５に最も良く示すように、ハウジング１２の内側は、また、係止指状体３０の間に配置された複数の導入部分２６を備えており、これらの導入部分は、ねじ付きスタッド５０の直径により正確に近似するが、その直径よりは大きい、ハウジングの内径を提供し得るような形状とされている。この所定の形状をした導入部分２６は、スタッド係合装置１０がスタッド５０にて不当に揺動するのを防止する働きをする。係止指状体３０は、導入部分２６を超えて伸長する。このため、スタッド係合装置１０をスタッド５０に取り付けたとき、スタッド５０に配置される頂部又は底部側にある係止指状体３０の端部に設けられた突出部３２は、スタッド５０のねじの頂部と締まり嵌めし、上方に撓み、導入部分２６間に形成された凹所に入る。指状体３０は、十分な長さ及び可撓性のあるヒンジ部分により可撓性に接続されており、このため、突出部３２は、スタッド５０の外ねじ径部分を経て上方に撓む。スタッド係合装置１０をスタッド５０に完全に押し付けたならば、複数の係止指状体３０の突出部３２は、ねじ付き溝３４に係合して、これにより、ハウジング１２がスタッド５０から外れるのを防止する。
【００１１】
図６乃至図９から理解されるように、スタッド係合装置１０は、ハウジング１２の頂側部１４又は底側部１６の何れか一方からねじ付きボルト５０に取り付けることができる。図６には、底部を先にしてスタッド５０に取り付けられるスタッド係合装置１０が示してある。ハウジング１２をスタッド５０上に配置したとき、係止指状体３０は、該指状体３０の上方で且つ導入部分２６の間に形成された凹所内に上方に撓む。これにより、スタッド係合装置１０をスタッド５０に完全に押し付けたときに、ハウジング１２の底部１６に向けて方向決めされた突出部３２がスタッド５０の外ねじ径部分４０を経て動くことが可能となる。図７に図示するように、スタッド係合装置１０をスタッド５０上に完全に取り付けたとき、一つの係止指状体３０の少なくとも一つの突出部３２が、ねじ付き溝３４内に完全に配置されて、スタッド５０から引き出されるのを防止する。
【００１２】
図８及び図９には、同一の過程ではあるが、スタッド係合装置１０が最初に頂側部１４に取り付けられる状態が示してある。この場合、ハウジング１２の頂部１４に向けて方向決めされた突出部３２は、ねじ付き溝３４に係合して、スタッド係合装置１０をスタッド５０に固着する。
【００１３】
図６乃至図９から理解されるように、係止指状体３０が内壁２８から突出する箇所である係止指状体３０の基部分は、肩部分３６として形成されており、該肩部分は、指状体３０を強化し且つスタッド係合装置１０の引き抜きを防止する追加的なストッパを提供する。
【００１４】
本明細書に記載し且つ添付図面に図示した適用例は、スタッド取り付け型ケーブル連結具用であるが、二方向の取り付け部材は、それ自体がナットとして含まれる各種のその他の適用例に使用することができることを認識すべきである。更に、溶接スタッドに使用する状態で示してあるが、ねじ又はボルト等他の型式のねじ付きポストにも適用可能である。
【００１５】
本発明の特別な実施例を図示し且つ説明したが、本発明の広い形態から逸脱せずに、変更及び応用例が採用可能であることが当業者には明らかであろう。
【図面の簡単な説明】
【図１】本発明の好適な実施例によるワイヤータ束に取り付けられ且つねじ付きスタッドに固定されたスタッド取り付けケーブル連結具の等角図である。
【図２】図１の実施例の取り付け装置及びケーブル連結具ヘッドの部分平面図である。
【図３】図２の線３−３に沿った取り付け装置及びケーブル連結具ヘッドの側面断面図である。
【図４】図２の線４−４に沿った取り付け装置の側面断面図である。
【図５】図１のケーブル連結具の取り付け装置の底面図である。
【図６】底側部を下に向けてねじ付きスタッドに取り付けられた図１のケーブル連結具の取り付け装置の側面断面図である。
【図７】底側部を下に向けてねじ付きスタッドに完全に固着された図１のケーブル連結具の取り付け装置の側面断面図である。
【図８】頂側部を下に向けてねじ付きスタッドに取り付けられた図１のケーブル連結具の取り付け装置の側面断面図である。
【図９】頂側部を下に向けてねじ付きスタッドに完全に固着された図１のケーブル連結具の取り付け装置の側面断面図である。
【符号の説明】
１０  スタッド係合装置          １２  ハウジング
１４  係合装置の頂側部          １６  係合装置の底側部
１８  貫通穴                    ２０  ケーブル連結具
２１  可撓性部材                ２６  ハウジングの導入部分
２８  ハウジングの内壁          ３０  係止指状体
３２  突出部                    ３４  ねじ付き溝
４０  スタッドの外ねじ径部分    ５０  スタッド
６０  係合装置の取り付け面      ７０  ワイヤー束
【図１】
0004033504.tif 000002
【図２】
0004033504.tif 000003
【図３】
0004033504.tif 000004
【図４】
0004033504.tif 000005
【図５】
0004033504.tif 000006
【図６】
0004033504.tif 000007
【図７】
0004033504.tif 000008
【図８】
0004033504.tif 000009
【図９】
0004033504.tif 000010